(57)【要約】      （修正有）【課題】経年使用したボルトの伸びを簡単に判別することのできるボルト検査治具を、簡潔な構成かつ低コストで提供する。【解決手段】把手部３を備えたゲージ本体１と、ゲージ本体１に形成された連続する凹凸波形部２とからなり、凹凸波形部２は、検査すべきボルトのネジ山の規格寸法と一致する波形で形成され、ゲージ本体１の凹凸波形部２の長さが、検査すべきボルトのネジ軸部の全長近傍以上の寸法で形成されるようにしたボルト検査冶具Ａ。【選択図】図１
2020020776.tif 000002
【特許請求の範囲】
【請求項１】
把手部を備えたゲージ本体と、
前記ゲージ本体に形成された連続する凹凸波形部とからなり、
前記凹凸波形部は、検査すべきボルトのネジ山の規格寸法と一致する波形で形成され、
前記ゲージ本体の凹凸波形部の長さが、検査すべきボルトのネジ軸部の全長近傍以上の寸法で形成されているボルト検査治具。
【請求項２】
前記凹凸波形部を形成したゲージ本体の幅が、検査すべきボルトのネジ軸部直径の三分の一以上の厚みで形成され、前記ゲージ本体の幅方向に延びる波形山部の稜線が平らに形成されている請求項１に記載のボルト検査治具。
【請求項３】
前記ゲージ本体の幅方向に延びる前記凹凸波形部の稜線並びに谷底線が、検査すべきボルトのネジ軸部の外周面に沿って凹面状に湾曲して形成されている請求項１に記載のボルト検査治具。
【請求項４】
前記ゲージ本体の幅方向に延びる前記凹凸波形部の稜線並びに谷底線が凸面状に湾曲して形成されている請求項１に記載のボルト検査治具。
【請求項５】
前記ゲージ本体を櫛状に形成して下面に前記凹凸波形部を加工し、上方に前記把手部が形成されている請求項１に記載のボルト検査治具。
【請求項６】
前記ゲージ本体が棒杆状で形成され、その長さ方向に沿って前記凹凸波形部が設けられ、前記ゲージ本体の一端部が前記把手部として形成されている請求項１に記載のボルト検査治具。
【請求項７】
前記ゲージ本体が白色の樹脂材で形成される請求項１〜６のいずれかに記載のボルト検査具。
【請求項８】
前記ゲージ本体が透明、または半透明の樹脂材で形成され、前記把持部には前記ゲージ本体に向けて光照射する光源装置が設けられている請求項１〜６のいずれかに記載のボルト検査具。
【発明の詳細な説明】
【技術分野】
【０００１】
本発明は、ボルトの検査治具に関する。特に本発明は、例えば、タイヤの交換やローテーション、パンク修理、ホイールバランス点検などでホイールを取り外したとき、あるいは、修理や洗浄などで機器に付帯する部品を取り外したときに、ホイールや部品を固定していたボルトのネジ山を検査してボルト交換の是非をチェックするための簡易検査治具に関する。
【背景技術】
【０００２】
一般に、ボルトを被締結物に対して締め付けて応力（軸力）をかけていくと、降伏点までは応力に比例してボルトが伸び、応力を取り除くと元に戻る。この元に戻るまでの領域を弾性域といい、弾性域の範囲内での締め付けは「弾性域締め付け」と呼ばれている。締め付け応力が降伏点を超えてさらに締め付けていくと急激に伸び率が増大し、応力を取り除いても元に戻らなくなる「永久伸び」が発生する。
【０００３】
通常、「弾性域締め付け」では、ボルトの疲労が少なく、反復して使用できるため、トルクレンチなどを用いて軸力が弾性域内に収まるように締め付けている。
【０００４】
しかし、トルクレンチの誤設定や、通常レンチでの締め付けにより、あるいは、高い締結力を得るために、弾性域を超えた高い軸力で締め付ける場合がある。このとき、ボルトに「永久伸び」が生じて強度が著しく劣化し、剪断などが発生する危険性がある。したがって、例えば、点検などで自動車のホイールを取り外したときに、ホイールを取り付けていたハブボルトに永久伸びが発生していれば新品に交換する必要がある。しかし、ボルトに永久伸びが生じていたとしても、その伸び量は非常に小さなものであるため目視だけでは判別することができない。
【０００５】
一般に、工場で製作された新品のボルトやナットのネジ山の精度を検査するために、雌ネジ検査用のネジプラグゲージ（特許文献１、２参照）や、雄ネジ検査用のネジリングゲージが知られている。ボルトのネジ山検査では、ネジリングゲージを用いてボルトをネジリングゲージに最後まで捻じ込むときの感触により製品の良否を判断している。
【先行技術文献】
【特許文献】
【０００６】
【特許文献１】実開平０２−００９８０５号公報
【特許文献２】特開平０７−２２９７０２号公報
【発明の概要】
【発明が解決しようとする課題】
【０００７】
ハブボルトのように経年使用したボルトの永久伸びも、上記のネジリングゲージを用いて検査することが可能である。しかし、ネジリングゲージは超硬合金や合金工具鋼を用いた精密加工製品であって高価であるともに、検査時にボルトをネジリングゲージにセットする操作も面倒である。
例えば、乗用車のハブボルトはタイヤ１つにつき４〜６本が使用されており、1台あたりのタイヤ本数が４本であることから、４×４〜６×４本、すなわち、１６〜２４本のハブボルトをセットすることが必要になる。
大型トラックであれば、タイヤ１つにつき８〜１０本が使用されており、1台あたりのタイヤ本数が４〜８本である。よって８×４〜１０×８本、すなわち、３２〜８０本のハブボルトをセットすることが必要になる。
【０００８】
なお、金属薄板の一辺にネジ山を加工したネジピッチゲージも知られている。このネジピッチゲージは、ネジ山の精度を検査するものではなく、ネジの規格（種類）を確認するためのものである。日本国内で主に使用されるネジの種類としては、ミリ、ウィット、ユニファイの３規格のものがあり、使用者が手に取ったネジの種類が不明な場合に、各種規格のピッチゲージをネジ山に当ててそのネジ山のピッチに合ったピッチゲージを選び、これに表示されている規格表示を読み取ることによりネジの種類を判別するものである。したがって、微妙なボルトネジ山の伸びをこのピッチゲージで検査することはできない。
【０００９】
そこで本発明は、上記課題に鑑み、経年使用したボルトの伸びを簡単に判別することのできるボルト検査治具を、簡潔な構成かつ低コストで提供することを目的とする。
【課題を解決するための手段】
【００１０】
上記目的を達成するために本発明では次のような技術的手段を講じた。すなわち、本発明のボルト検査治具は、把手部を備えたゲージ本体と、前記ゲージ本体に形成された連続する凹凸波形部とからなり、前記凹凸波形部は、検査すべきボルトのネジ山の規格寸法と一致する波形で形成され、前記ゲージ本体の凹凸波形部の長さが、検査すべきボルトのネジ軸部の全長近傍以上の寸法で形成されている構成とした。
【発明の効果】
【００１１】
本発明によれば、ゲージ本体をボルトのネジ軸部に対して平行に沿わせて凹凸波形部をネジ軸部のネジにかみ合わせ、そのかみ合いの状態をみることにより簡単にボルトの伸びを検査することができる。また、ゲージ本体の凹凸波形部の長さが、検査すべきボルトのネジ軸部の全長近傍以上の寸法で形成されているので、ボルトのネジ部の大半部分を一度のかみ合わせ操作で検査することができ、ボルトの一部分にだけ永久伸びが生じている場合でも確実に検知することができる。また、構成が簡単であって樹脂成形手段などにより製作できるので、低コストで提供することができる。
ここで、「ボルトのネジ軸部の全長近傍以上の寸法」について説明する。通常、ボルトはネジ部の最奥部までネジ山全体を使用することは予定されておらず、実際に使用されるネジ山の範囲より少し余裕を持たせて長めにネジ山が形成されている。したがって、必ずしも「ネジ軸部の全長以上の寸法」が必要ではなく、ネジ最奥部の余裕を持たせた長さ分を差し引いた「ネジ軸部の全長近傍以上の寸法」であって、実際に使用される可能性があるネジ軸部の最大範囲以上の長さがあればよい。具体的には余裕分として普通車で５ｍｍ程度、トラックで１０ｍｍ程度短い長さ範囲を全長近傍とすることができる。
【００１２】
本発明において、前記凹凸波形部を形成したゲージ本体の幅が、検査すべきボルトのネジ軸部直径の三分の一以上の厚みで形成され、前記ゲージ本体の幅方向に延びる波形山部の稜線が平らに形成されている構成とするのがよい。
こうすることで、検査時に、ゲージ本体の長さ方向に沿ったセンターラインがボルトのネジ軸部の軸心に対してゲージ本体の幅寸法の範囲内で平行にずれても、ゲージ本体の凹凸波形部をボルトのネジ山にかみ合わせることができ、これにより測定領域に余裕ができて測定操作を容易に行うことができる。
なお、検査冶具の持ち運びやすさも考慮すると、ゲージ本体の幅が広すぎると、検査冶具の重量が増加するとともに、作業服のポケット等に収納しにくくなるので、幅の上限についてはボルト径と同程度以下とするのが望ましい。
【００１３】
本発明において、前記ゲージ本体の幅方向に延びる前記凹凸波形部の稜線並びに谷底線が、検査すべきボルトのネジ軸部の外周面に沿って凹面状に湾曲して形成されるようにしてもよい。
こうすることで、ボルトのネジ山に対してゲージ本体の凹凸波形部をよりぴったりとフィットさせることができるとともに、ボルトのネジ山に合わせた状態でゲージ本体をボルトの周方向に少し滑らせる操作をして検査することにより、両者のフィット状態をさらに精度よく判別することができる。
【００１４】
本発明において、前記ゲージ本体の幅方向に延びる前記凹凸波形部の稜線並びに谷底線を凸面状に湾曲して形成するのがよい。
これにより、凹凸波形部をボルトのネジ山にかみ合わせたときに、凸面状の頂点がボルトのネジ軸部周面に点接触で接触することになって、かみ合いの状態が側方から見てわかりやすいといった利点がある。
【００１５】
本発明において、前記ゲージ本体を櫛状に形成して下面に前記凹凸波形部を加工し、上方に前記把手部を形成することも可能である。
こうすることで、上方の把手部を持ってゲージ本体の凹凸波形部をボルトのネジ山に平行にかみ合わせることにより、かみ合い部全域にわたって平行な姿勢で均等に押し付けることができ、検査をより確実に行うことができる。
【図面の簡単な説明】
【００１６】
【図１】本発明に係るボルト検査治具の一実施例を示す斜視図。
【図２】ボルト検査治具と検査すべきボルトを示す側面図。
【図３】ボルト検査治具と検査すべきボルトとの対比を示す正面図。
【図４】本発明に係るボルト検査治具を用いた検査態様の一例を示す説明図。
【図５】ゲージ本体部分の別実施例を示す正面図。
【図６】ゲージ本体部分のさらに別の実施例を示す正面図。
【図７】本発明に係るボルト検査治具の他の実施例を示す斜視図。
【図８】本発明にかかるボルト検査治具の別の実施例を示す一部断面図。
【図９】本発明にかかるボルト検査治具の更に別の実施例を示す斜視図。
【発明を実施するための形態】
【００１７】
以下、本発明に係るボルト検査治具を、図１〜４に基づいて詳細に説明する。
【００１８】
本発明に係るボルト検査治具Ａは、一端に把手部３が形成された長尺棒杆状のゲージ本体１を備えている。ゲージ本体１は、断面略四角形の長尺材で形成され、その長さ方向に沿った一面に連続した波形を有するラック状の凹凸波形部２が設けられている。この凹凸波形部２は、検査すべきボルトＢのネジ軸部４のＪＩＳ規格寸法と一致する波形で形成されており、凹凸波形部２の長さＬ１が、検査すべきボルトＢのネジ軸部４の長さＬ２と同じかそれ以上の寸法で形成されている。さらに、凹凸波形部２を形成したゲージ本体１の幅Ｄ１が、検査すべきボルトＢの直径Ｄ２の三分の一以上の厚みで形成され、ゲージ本体１の幅方向に延びる波形山部の稜線２ａが平らに形成されている。
【００１９】
本実施例のボルト検査治具Ａでは、Ｍ２２×Ｐ１．２５で、ネジ軸部４の長さＬ２が７０ｍｍの自動車ホイール取り付け用のハブボルトを検査対象として、次のような寸法で作成した。
すなわち、図２並びに図３に示すように、ゲージ本体１の幅Ｄ１が８ｍｍ、凹凸波形部２の長さＬ１が７０ｍｍとし、凹凸波形部２の波形がＭ２２×Ｐ１．２５のハブボルトのネジ山のＪＩＳ規格寸法と同じ形状で形成した。
なお、一般的なハブボルトのネジ軸部の長さＬ２は乗用車用ボルトで４０〜６０ｍｍ、トラック用ボルトで５０〜７０ｍｍ程度である。
【００２０】
ゲージ本体１は、デルリン樹脂などの合成樹脂材によって形成するのがコスト面で好ましい。特に、デルリン樹脂のような白色の樹脂材を用いた場合、金属色のハブボルトとの色の違いで、かみ合い状態が鮮明に把握できるようになる。ただし、鉄などの金属材によって形成することも可能である。
【００２１】
さらに、本実施例では、ゲージ本体１の凹凸波形部２を形成した部分をカバーする着脱自在なケース５と、把手部３に弾性クリップ６とが設けられている。この弾性クリップ６を作業服のポケットや作業帽のツバ部に差し込むことにより、ボルト検査治具Ａを常時携帯して使用することができる。
【００２２】
上記のごとく構成されたボルト検査治具Ａでは、図２に示すように、ゲージ本体１の凹凸波形部２を検査すべきボルトＢのネジ軸部４のネジ山に対して平行に添わせて、両者をかみ合わせることにより検査を行う。このときに、ボルトＢのネジ山に伸びがなく正常であれば両者はぴったりとフィットさせることができるが、ボルトＢに永久伸びが生じていればフィットさせることができない。これによりボルト交換の是非が判断できる。
【００２３】
また、ゲージ本体１の凹凸波形部２の長さＬ１が、検査すべきボルトＢのネジ軸部４の長さＬ２、と同じかそれ以上の寸法で形成されているので、ボルトＢのネジ軸部４の大半部分を一度のかみ合わせ操作で検査することができる。したがって、ボルトの一部分に伸びが生じている場合でも確実に検知することができる。
なお、検査すべきボルトＢのネジ軸部４の長さがＬ２である場合、通常、ネジ山は最奥部までネジ山全体を使用することは予定されておらず、実際に使用されるネジ山の範囲よりも、少し余裕分の長さａ（ａは５〜１０ｍｍ程度）を最奥部に含めた状態で長めにネジ山が形成してある。したがって、この点を考慮すれば、凹凸波形部の長さＬ１はＬ２−ａ以上の寸法（すなわちネジ軸部の全長長さＬ２の近傍以上）であれば問題なく使用できることになる。
【００２４】
さらに、凹凸波形部２を形成したゲージ本体１の幅Ｄ１が、検査すべきボルトＢのネジ軸部４の直径Ｄ２の三分の一以上の厚みで形成され、かつ、ゲージ本体１の幅Ｄ１方向に延びる波形山部の稜線２ａが平らに形成されているので、検査時には、図４に示すように、ゲージ本体１の長さ方向に沿ったセンターラインがボルトＢのネジ軸部４の軸心に対してゲージ本体１の幅Ｄ１の範囲内で矢印方向に平行にずれても、ゲージ本体１の凹凸波形部２をボルトＢのネジ山にかみ合わせることができる。これにより測定領域に余裕ができて測定操作を容易に行うことができる。
【００２５】
なお、上記実施例では、ゲージ本体１の幅Ｄ１の方向に延びる波形山部の稜線２ａを平らに形成した例を示したが、これに代えて、図５に示すように波形山部の稜線２ａ並びに谷部の谷底線２ｂを、検査すべきボルトＢの外周面に合わせて凹面状に湾曲して形成してもよい。
こうすることで、ボルトＢのネジ山に対してゲージ本体１の凹凸波形部２をよりぴったりとフィットさせることができるとともに、ボルトＢのネジ山に合わせた状態でゲージ本体１をボルトＢの周方向に少し滑らせる操作をして検査することにより、両者のフィット状態をさらに精度よく判別することができる。
【００２６】
また、本発明では、ゲージ本体１の幅Ｄ１の方向に延びる波形山部の稜線２ａ並びに谷部の谷底線２ｂを、図６に示すように凸面状に湾曲して形成してもよい。
こうすることで、凹凸波形部２をボルトＢのネジ山にかみ合わせたときに、稜線２ａ並びに谷底線２ｂの凸面状の頂点がボルトＢのネジ軸部４周面に点接触で接触することになって、かみ合いの状態を側面から見やすくなるといった利点がある。この場合は、ゲージ本体１の断面形状を略四角形に代えて、断面が円形（すなわち円柱棒杆状のゲージ本体）としてもよい。
【００２７】
また、上記実施例では、ゲージ本体１を長尺の棒杆状で形成したが、これに代えて、図７に示すようにゲージ本体１’を和櫛状に形成して下面に凹凸波形部２を加工し、上方中央部分を把手部３’として形成することも可能である。
こうすることで、中央の把手部３’を持ってゲージ本体１’の凹凸波形部２をボルトＢのネジ山にかみ合わせることにより、かみ合い部全域にわたって平行な姿勢で均等に押し付けることができ、検査をより確実に行うことができる。
【００２８】
図８は本発明にかかる検査治具の別の実施例を示すものである。この実施例では、図１で示した検査治具に照明機能を付与したものであって、ゲージ本体１がアクリル等の光透過性に優れた透明な合成樹脂材あるいは半透明な合成樹脂材で形成されている。把手部３の内部には内側空間が形成され、ケージ本体１に向かって光を照射する発光ダイオード（ＬＥＤ：Light Emitting Diode）７、並びに電源となる乾電池８が配置されており、電源をＯＮ/ＯＦＦ操作するスイッチ９が把手部３の外部に露出して形成され、これらによる光源装置が設けられている。なお、把手部３に嵌まり込んだゲージ本体１の端面は発光ダイオード７の光をできるだけ多く取り込めるように凹面状に窪んで形成するのがよい。
このような構成により、ネジ部２が発光ダイオード７によって明るく照らされるので、薄暗い現場であってもボルトのネジ山に対するかみ合いを明確に確認することができる。
なお、ゲージ本体の１のネジ部２の反対側の面（図８の上面側）に、反射面をネジ部２に向けた反射膜を貼り付けて形成するのが好ましい。これによりネジ部への光量を多く確保することができる。また、ゲージ本体１のネジ部２の表面に微細な傷がつくように研磨して発光光が乱反射するようにして照らすこともできる。この場合はゲージ本体の断面を円筒状にしても全周を明るく照らすことができる。
【００２９】
図９は図７で示した和櫛状ゲージ本体１’に上記同様の照明機能を付与させた実施例を示すものであって、透明な合成樹脂材で形成されたゲージ本体１’の把手部３’の内部に、光を照射する発光ダイオード７及び電源となる乾電池８が配置されており、電源をＯＮ/ＯＦＦ操作するスイッチ９が把手部３’の外部に露出して形成されている。これにより、図８の実施例と同様の効果を期待することができる。
なお、この場合もゲージ本体の１’のネジ部２の反対側の面（図９の上面側）に、反射面をネジ部２に向けた反射膜を貼り付けて形成するのが好ましい。
【００３０】
以上本発明の代表的な実施例について説明したが、本発明は必ずしも上記の実施形態に特定されるものではない。例えば、図１の実施例において、ゲージ本体１の凹凸波形部２を設けた面とは反対側の面に別の規格の凹凸波形部を設けて形成することも可能である。
また、上記実施例では、ゲージ本体１の凹凸波形部２を形成した部分をカバーする着脱自在なケース５を設けるようにしたが、これを省略することもできる。
また、図８、図９の照明機能を付与した実施例では、光源に発光ダイオードを用いているが、これに代えて、搭載することが可能である小型の光源装置であれば特に限定されない。
その他本発明では、その目的を達成し、請求の範囲を逸脱しない範囲内で適宜修正、変更することが可能である。
【産業上の利用可能性】
【００３１】
本発明のボルト検査治具は、タイヤの交換やローテーション、パンク修理、ホイールバランス点検などでホイールを取り外したとき、あるいは、修理や洗浄などで機器に付帯する部品を取り外したときに、ホイールや部品を固定していたボルトのネジ山を検査してボルト交換の是非をチェックするための簡易検査治具として利用される。
【符号の説明】
【００３２】
Ａ  ボルト検査治具
Ｂ  検査すべきボルト
Ｄ１  ゲージ本体の幅
Ｄ２  ネジ軸部の直径
Ｌ１  凹凸波形部の長さ
Ｌ２  ネジ軸部の長さ
１、１’  ゲージ本体
２  凹凸波形部
２ａ  波形山部の稜線
２ｂ  波形谷部の谷底線
３、３’  把手部
４  ネジ軸部
５  ケース
６  弾性クリップ
７  発光ダイオード
８  電源
９  スイッチ
【図１】
2020020776.tif 000003
【図２】
2020020776.tif 000004
【図３】
2020020776.tif 000005
【図４】
2020020776.tif 000006
【図５】
2020020776.tif 000007
【図６】
2020020776.tif 000008
【図７】
2020020776.tif 000009
【図８】
2020020776.tif 000010
【図９】
2020020776.tif 000011